(57)【特許請求の範囲】
【請求項１】
内部に収容したゲル状化粧料を適宜な押出機構で吐出部に向けて押し出すように成した塗布具の該吐出部に設けた塗布ピースであって、筒状本体内に遮断板を設け、かつ、この遮断板に前記筒状本体先端から若干突出する、前記筒状本体の内径より小さい外径をもつ中心杆を設けて、この中心杆の周囲開口部を吐出口となすとともに、該遮断板に、化粧料が通過するために所定の押圧力を必要とし、押出機構を作動させない限り化粧料が漏れださない程度の大きさと個数を有する複数の連通孔を穿設した化粧料塗布具の塗布ピース。
【請求項２】
内部に収容したゲル状化粧料を適宜な押出機構で吐出部に向けて押し出すように成した塗布具の該吐出部に設けた塗布ピースであって、筒状本体内に遮断板を設け、かつ、この遮断板に前記筒状本体先端から若干突出する、前記筒状本体の内径より小さい外径をもつ中心杆を設けて、この中心杆の周囲開口部を吐出口となすとともに、該遮断板に複数の連通孔を穿設し、また、前記吐出口を囲むように前記筒状本体の外周に刷毛を付設したことを特徴とする化粧料塗布具の塗布ピース。
【発明の詳細な説明】
【０００１】
【産業上の利用分野】
本発明は、ファンデーションや口紅あるいはマニキュア等のゲル状化粧料を適宜な押出機構で吐出部に向けて一定量ずつ押し出すように成した化粧料塗布具の塗布ピースに係り、特に、塗布し易いゲル状化粧料の吐出状態を得ることが可能なものに関する。
【０００２】
【従来の技術】
従来、ゲル状化粧料の塗布具の塗布ピースは、塗布具本体から押し出されたゲル状化粧料をしみ出させ得る材料であるフエルト等を棒状に形成したものが一般的であった。該棒状の塗布ピースは、細長い筒状の塗布具の先端吐出部に、一定長露出するように取り付けてあり、塗布具本体から押し出され、しみ出したゲル状化粧料を、顔等の被化粧部位に塗布するというものである。
【０００３】
【発明が解決しようとする課題】
上記棒状の塗布ピースは、ゲル状化粧料が各部に不均一にしみ出すことがあって、塗布しにくいという問題点があった。
【０００４】
本発明は、前記問題点を解消することを課題とし、該課題を解決すべく、顔等の被化粧部位に万遍なく均一に塗布することが可能で、また、該被化粧部位へのタッチが柔らかく塗布作業がより一層楽で感触もよい化粧料塗布具の塗布ピースを提供することを第１の目的とする。また、本発明は、不意に外部に漏れ出すことがない化粧料塗布具の塗布ピースを提供することを第２の目的とする。
【０００５】
【課題を解決するための手段】
本発明は、前記目的を達成するために、例えば、筒状本体２０内に遮断板２１を設け、かつ、この遮断板２１に前記筒状本体２０先端から若干突出する、前記筒状本体２０の内径より小さい外径をもつ中心杆２２を設けて、この中心杆２２の周囲開口部を吐出口２５ａとなすとともに、該遮断板２１に、化粧料が通過するために所定の押圧力を必要とし、押出機構を作動させない限り化粧料が漏れ出さない程度の大きさと個数を有する複数の連通孔２３，２３，２３を穿設して塗布ピース１を構成する。この塗布ピース１は、内部に収容したゲル状化粧料を適宜の押出機構３で吐出部に向けて押し出すように成した塗布具の該吐出部に取り付ける。
【０００６】
また本発明は、例えば、上述した構成に加えて、筒状本体２０の先端近傍の外周を小径に形成し該小径部分と大径部分間の段部面５３に、各先端が吐出口２５ａより突出し、該吐出口２５ａを囲むような刷毛５２を植設して、塗布ピース５１を構成する。
【０００７】
【作用】
前記塗布ピース１，５１は、押出機構３により押されたゲル状化粧料たるファンデーション液ａが、塗布ピース１，５１の導入口２４ａから導入孔２４、遮断板２１の連通孔２３，２３，２３、中心杆２２の外周面と筒状本体２０内周面間の断面リング状の吐出孔２５を経て吐出口２５ａに達し、顔等の被化粧部位に塗布可能となる。そして、ファンデーション液ａは、各連通孔２３，２３，２３から万遍なく吐出孔２５内に導かれたうえ、リング形状の吐出口２５ａから外部に円形に吐出されるので、該被化粧部位に万遍なく均一に塗布することができる。また、ゲル状化粧料は、連通孔２３，２３，２３を通過するために所定の押圧力を必要とするから、操作部８を操作して押出機構３を作動させない限り不意に吐出口２５ａから外部に漏れ出すことはない。
【０００８】
また、刷毛５２を設けた塗布ピース５１は、ファンデーション液ａが吐出口２５ａから外部に円形に吐出されるとともに、吐出されたファンデーション液ａが該刷毛５２に均一に移行するので、顔等の被化粧部位に万遍なく均一に塗布することができるうえ、該被化粧部位へのタッチが柔らかく塗布作業がより一層楽で感触もよい。
【０００９】
【実施例】
以下に、本発明をファンデーション用塗布具に適用した好適な実施例を添付図面に基づいて詳細に説明する。ここにおいて、添付図面の図１は塗布ピースの拡大縦断正面図、図２は図１のＡ−Ａ線断面図、図３は塗布具の縦断正面図、図４は図３の拡大Ｂ−Ｂ線断面図、図５は同じく拡大Ｃ−Ｃ線断面図、図６は塗布具の押出機構の要部を示す拡大正面図である。
【００１０】
先ず、本実施例の塗布ピース１を取り付けて成る塗布具について説明する。図３〜図６に示したように、塗布具は、携帯可能な程度の長さを有する細長い円筒状の外筒２と、該外筒２の先端（図３上左端）に取り付けた塗布ピース１と、外筒２内に、前記塗布ピース１基端に連繋した収容部に収容した、粘性を有するゲル状化粧料たるファンデーション液ａと、該収容部に連設し、前記ファンデーション液ａを外筒２の前記塗布ピース１側に向けて該収容部から押し出すための押出機構３と、外筒２の前記塗布ピース１側端の外周部に着脱自在に嵌着するキャップ４とから構成する。
【００１１】
図３〜図６に示したように、前記押出機構３は、ファンデーション液ａを押すための、外筒２の内径と等しい外径を有する円筒状に形成したピストン５と、該ピストン５を押すべく、前記ピストン５と同様に、外筒２内を進行可能に、外筒２の内径とほぼ等しい外径を有する円筒状に形成した進行部６と、該進行部６を進行させるための、操作用摘み７を外筒２の後端（前記塗布ピース１側とは反対端で、図３上右端）に配置し得るようになした操作部８と、該操作部８を一方向のみに回転可能に支持するよう、外筒２の前記後端近傍の内面に固着した軸受部９とから構成する。
【００１２】
図３、図４及び図６に明示したように、前記進行部６は、前記外筒２の内径とほぼ等しい外径を有するほぼ円筒状を成し、前記ピストン５近傍からピストン５とは反対端に伸びる二本のスリット１０，１０と、該反対端近傍の内周に設けた雌螺孔１１と、外面を長手方向に伸びる帯状に切削して形成した帯状平坦面１２とを備える。
【００１３】
図３〜図６に明示したように、操作部８は、前記操作用摘み７と、進行部６の前記雌螺孔１１に螺合する雄螺杆１３と、操作用摘み７と雄螺杆１３間に位置し、外周の外側に突出するように付勢された二つの弾性爪１４，１４を有する回転軸１５とを備える。
【００１４】
図３及び図４に明示したように、軸受部９は、外筒２の後端（塗布ピース１とは反対端）に外側から挿入しフランジで係止した状態で外筒２の内面に接着部分１６，１６で固着するように成した円筒体１７と、外筒２の先端側に伸び前記進行部６の帯状平坦面１２及び外筒２内面で形成された間隙に挿入し得る回転阻止舌片１８とを備える。また、前記円筒体１７の内面全周には、操作部８の前記弾性爪１４，１４が係合する被係合歯１９・・・が形成されている。この被係合歯１９・・・は、それぞれ交互に形成された長短の斜面によってピッチとなる山と谷が連続的に設けられ、その短い斜面に前記弾性爪１４，１４が係合するようになっている。
【００１５】
次に、図３〜図６に基づいて上記押出機構３の動作について説明する。図３の状態において、操作部８の操作用摘み７をその後端側から見て時計回り（図６の回転矢印Ｌ参照、また図５では反時計回りの回転矢印Ｍ参照）に回転すると、雄螺杆１３及び回転軸１５が一体的に回転する。この際、進行部６は、外筒２に固定されている軸受部９の回転阻止舌片１８がその帯状平坦面１２及び外筒２内面間に形成された間隙に挿入された状態にあるので、雌螺孔１１を介して雄螺杆１３の回転摩擦力を受けても回転変位することなく、雄螺杆１３の回転量に応じて外筒２内をファンデーション液ａに向かって進行（図６の直線矢印Ｎ参照）する。また、回転軸１５とともに回転する前記弾性爪１４，１４は、外周の外側、すなわち、被係合歯１９・・・側に付勢され、円筒体１７の被係合歯１９，１９の山を越えるためにある程度の抵抗を受け、その谷に落ちる度に弾き音が聞こえ、かつ弾けた衝撃が手に伝わるので、操作用摘み７の操作者は何ピッチ回転したかを容易に知り得る。そして、この１ピッチの回転量は一定であるから、どの程度押出機構３の進行部６を進行させたかを該弾き音または衝撃の数で認識することが可能である。また、該弾性爪１４，１４は被係合歯１９，１９の各短斜面に係合するので、操作用摘み７を前述とは反対方向に回転させることは不可能であり、進行部６は後退することがない。したがって、ファンデーション液ａ内に空気が混入することがなく、ファンデーション液ａを安定した状態で塗布ピース１に向けて押し出すことができる。
【００１６】
続いて、上記塗布具に取り付ける本発明に係る塗布ピース１を詳細に説明する。図１及び図２に示したように、塗布ピース１は、適当な柔軟性を有する合成樹脂で構成した円形筒状本体２０の内孔内に、遮断板２１を設け、かつ、この遮断板２１から筒状本体２０先端に向かって伸び、該先端より若干突出した、前記内孔の内径より小さい外径をもつ中心杆２２を筒状本体２０と同心上に設け、また該遮断板２１に周方向に等間隔に三つの連通孔２３，２３，２３を穿設することによって、筒状本体２０内に断面積の大きな導入孔２４と、筒状本体２０内周面と中心杆２２外周面間に形成された断面リング状の吐出孔２５とを連通して形成する。そして、導入孔２４の外端が導入口２４ａとなり、また中心杆２２先端周囲の開口部が吐出口２５ａとなる。また、前記筒状本体２０の導入口２４ａ近傍の外周には大径部２６が形成してある。図３に明示するように、このように構成した塗布ピース１は、外筒２先端に嵌合した後、筒状の固定部材２７を該先端内側との間に挿入し、前記固定部材２７の内端を前記大径部２６に係止させた状態で、この固定部材２７を外筒２先端の内面に固着することによって、前記外筒２の先端に取り付ける。
【００１７】
以上のように構成し、塗布具に取り付けた塗布ピース１は、前記押出機構３により導入口２４ａから導入孔２４に導入されたファンデーション液ａが、遮断板２１の連通孔２３，２３，２３、吐出孔２５を経て吐出口２５ａに達し、顔等の被化粧部位に塗布可能となる。そして、ゲル状化粧料たるファンデーション液ａは、粘性を有しているので連通孔２３，２３，２３を通過するために押出機構３からの所定の押圧力を必要とする。したがって、操作用摘み７を回転して押出機構３を作動させない限りファンデーション液ａが吐出口２５ａから漏れ出すことはなく、また、該操作用摘み７を回転した時には、ファンデーション液ａがリング状の吐出口２５ａから円形に吐出されるので、顔等の被化粧部位に円形で万遍なく均一に塗布することができる。三つの前記連通孔２３，２３，２３は、これを二つあるいは四つ以上に変更してもよいが、前述のようにここを通過する際に適宜の抵抗力を受け、押出機構３を作動させない限りファンデーション液ａが吐出口２５ａから漏れ出さないようにするために、その径の大きさと、押し出される量を考慮すると、本実施例の如く三つの場合が好適である。
【００１８】
次に、図７（正面図）に基づいて塗布ピースの他の実施例を説明する。この説明にあたっては、前記実施例の塗布ピース１との相違点のみを詳細に説明し、前記実施例と同一の構成については、図７に前記実施例と同一の符号を付すに止め詳細な説明を省略する。
【００１９】
図７に明示したように、塗布ピース５１は、吐出口２５ａを囲むよう筒状本体２０の外周に刷毛５２を付設すべく、該筒状本体２０の先端近傍の外周を小径に成形し、この小径部分ともとの部分の境界に形成された段部面５３に各上端が吐出口２５ａより若干突出し、該吐出口２５ａを囲むような前記刷毛５２を植設したものである。
【００２０】
上記塗布ピース５１を取り付けた塗布具は、ファンデーション液ａが吐出口２５ａから円形に吐出されるとともに、吐出されたファンデーション液ａが該刷毛５２に均一に移行するので、顔等の被化粧部位に万遍なく均一に塗布することができるうえ、前記被化粧部位へのタッチが柔らかく、塗布時の感触が良好で、また、塗布作業がより一層楽になるという利点がある。
【００２１】
なお、本発明は上記各実施例に何ら限定されるものではなく、例えば、塗布ピース１，５１を適用する塗布具は、ファンデーション用ではなく、口紅、マニキュア等他のゲル状化粧料用としてもよいほか、塗布具における押出機構３は別な構造のものに変更してもよい。また、連通孔は、三つが好適であるが複数であればよい。
【００２２】
【発明の効果】
以上のように、本発明は、ゲル状化粧料が連通孔を通過するために押圧力を必要とするから、押出機構を作動させない限り吐出口から不意に外部に漏れ出すことはなく、また、該押出機構を作動させた時には、ゲル状化粧料が円形に吐出されるので、顔等の被化粧部位に万遍なく均一に塗布することができるという効果を奏する。
【００２３】
また、刷毛を付設した塗布ピースは、吐出口から円形に吐出したゲル状化粧料が該刷毛に均一に移行するので、顔等の被化粧部位に円形で万遍なく均一に塗布することができるうえ、該被化粧部位へのタッチが柔らかく、塗布時の感触が良好で、また、塗布作業がより一層楽になるという効果を奏する。
【図面の簡単な説明】
【図１】塗布ピースの拡大縦断正面図。
【図２】図１のＡ−Ａ線断面図。
【図３】塗布具の縦断正面図。
【図４】図３の拡大Ｂ−Ｂ線断面図。
【図５】同じく拡大Ｃ−Ｃ線断面図。
【図６】塗布具の押出機構の要部を示す拡大正面図。
【図７】他の塗布ピースの実施例の正面図。
【符号の説明】
ａ  ファンデーション液
１，５１  塗布ピース
２  外筒
３  押出機構
６  進行部
７  操作用摘み
８  操作部
９  軸受部
１１  雌螺孔
１３  雄螺杆
１８  回転阻止舌片
２０  筒状本体
２１  遮断板
２２  中心杆
２３  連通孔
２４  導入孔
２４ａ  導入口
２５  吐出孔
２５ａ  吐出口
５２  刷毛
【図１】
0003542164.tif 000002
【図２】
0003542164.tif 000003
【図３】
0003542164.tif 000004
【図４】
0003542164.tif 000005
【図５】
0003542164.tif 000006
【図６】
0003542164.tif 000007
【図７】
0003542164.tif 000008